(57)【要約】      （修正有）【課題】使用勝手の良好な包装袋を提供。【解決手段】第１辺、第２辺、第３辺、第４辺からなる矩形の第１フィルムと、同形状で第１フィルムに重合する第２フィルムと、第１フィルムの第１辺と第２フィルムの第１辺間に付着された空気通路部材Ｐと、第１フィルムの第１辺と第２フィルムの第１辺の周縁の第１付着部１’と、第１フィルムと第２フィルムの第３辺の周縁の第２付着部２’と、第２付着部は第２フィルム側に折曲し、この第１折り目 が第２フィルムの第１辺に重なるように第２折り目を介して折曲し、重合した第２辺の側端部は周縁の第３付着部３’と、第１折り目が第２フィルムの第１辺に重なるように折曲し、重合した第４辺の側端部は周縁の第４付着部４’と、通路部材Ｐの一端が、第１フィルムと第２フィルム間の空所に臨み、通路部材Ｐの他端が外気に臨み、第１折り目Ｒ1及び第２折り目Ｒ2は、前記空所に空気が入らない状態で生じるものである。【選択図】図４
2005104468.tif 000002
【特許請求の範囲】
【請求項１】
第１の辺、第２の辺、第３の辺、第４の辺からなる矩形形状の第１のフィルムと、
前記第１の辺は前記第３の辺に、前記第２の辺は前記第４の辺に、それぞれ対向し、    前記第１のフィルムと同形状で、前記第１のフィルムに重合する第２のフィルムと、    前記第１のフィルムの前記第１の辺と前記第２のフィルムの前記第１の辺との間を横断するように設けられた空気の通路を有する通路部材と、
この通路部材は前記第１のフィルムの前記第１の辺と前記第２のフィルムの前記第１の辺に付着されると共に、対向する前記第１のフィルムの前記第１の辺と前記第２のフィルムの前記第１の辺の周縁同士が付着された第１の付着部と、
重合した前記第１のフィルムと前記第２のフィルムの前記第３の辺の周縁同士が付着された第２の付着部と、
周縁同士が付着した前記第３の辺は前記第２のフィルムの側に折曲し、この折曲した第１の折り目が前記第２のフィルムの前記第１の辺に重なるように第２の折り目を介して折曲し、折曲して重合した前記第２の辺の側の端部は周縁同士が付着された第３の付着部と、
前記折曲した第１の折り目が前記第２のフィルムの前記第１の辺に重なるように折曲し、折曲して重合した前記第４の辺の側の端部は周縁同士が付着された第４の付着部と、    前記通路部材の一端が、前記第１の付着部、前記第２の付着部、前記第３の付着部、前記第４の付着部によりシ−ルされた前記第１のフィルムと前記第２のフィルムの間に形成された空所に臨み、前記通路部材の他端が、外気に臨んでいる
ことを特徴とする包装袋。
【請求項２】
一枚のフィルムを折曲して重合して形成された矩形形状のフィルム本体と、
このフィルム本体の一方側は第１のフィルムで、他方側は第２のフィルムであり、
前記第１のフィルムは、第１の辺、第２の辺、第３の辺、第４の辺からなる矩形形状であり、
前記第１の辺は前記第３の辺に、前記第２の辺は前記第４の辺に、それぞれ対向し、    前記第１のフィルムと前記第２のフィルムは、前記折曲した第１の折り目は、前記第３の辺であり、
前記第１のフィルムの前記第１の辺と前記第２のフィルムの前記第１の辺との間を横断するように設けられた空気の通路を有する通路部材と、
この通路部材は前記第１のフィルムの前記第１の辺と前記第２のフィルムの前記第１の辺に付着されると共に、対向する前記第１のフィルムの前記第１の辺と前記第２のフィルムの前記第１の辺の周縁同士が付着された第１の付着部と、
前記第３の辺は前記第２のフィルムの側に折曲し、この折曲した第２の折り目が前記第２のフィルムの前記第１の辺に重なるように第３の折り目を介して折曲し、折曲して重合した前記第２の辺の側の端部は周縁同士が付着された第２の付着部と、
前記折曲した第２の折り目が前記第２のフィルムの前記第１の辺に重なるように折曲し、折曲して重合した前記第４の辺の側の端部は周縁同士が付着された第３の付着部と、    前記通路部材の一端が、前記第１の付着部、前記第２の付着部、前記第３の付着部によりシ−ルされた前記第１のフィルムと前記第２のフィルムの間に形成された空所に臨み、前記通路部材の他端が、外気に臨んでいる
ことを特徴とする包装袋。
【請求項３】
一枚のフィルムを折曲して重合して形成された矩形形状のフィルム本体と、
このフィルム本体の一方側は第１のフィルムで、他方側は第２のフィルムであり、      前記第１のフィルムは、第１の辺、第２の辺、第３の辺、第４の辺からなる矩形形状であり、
前記第１の辺は前記第３の辺に、前記第２の辺は前記第４の辺に、それぞれ対向し、    前記第１のフィルムと前記第２のフィルムは、前記折曲した第１の折り目は、前記第４の辺であり、
前記第１のフィルムの前記第１の辺と前記第２のフィルムの前記第１の辺との間を横断するように設けられた空気の通路を有する通路部材と、
この通路部材は前記第１のフィルムの前記第１の辺と前記第２のフィルムの前記第１の辺に付着されると共に、対向する前記第１のフィルムの前記第１の辺と前記第２のフィルムの前記第１の辺の周縁同士が付着された第１の付着部と、
重合した前記第１のフィルムと前記第２のフィルムの前記第３の辺の周縁同士が付着された第２の付着部と、
周縁同士が付着した前記第３の辺は前記第２のフィルムの側に折曲し、この折曲した第２の折り目が前記第２のフィルムの前記第１の辺に重なるように第３の折り目を介して折曲し、折曲して重合した前記第２の辺の側の端部は周縁同士が付着された第３の付着部と、
前記通路部材の一端が、前記第１の付着部、前記第２の付着部、前記第３の付着部によりシ−ルされた前記第１のフィルムと前記第２のフィルムの間に形成された空所に臨み、前記通路部材の他端が、外気に臨んでいる
ことを特徴とする包装袋。
【請求項４】
対向する第２のフィルムと第１のフィルムの部分を、第２の辺及び第４の辺に沿って部分的に直線状に付着して形成された複数の縦付着部と、
前記複数の縦付着部は、少なくとも、第１の縦付着部、第２の縦付着部、第３の縦付着部及び第４の縦付着部を有し、
前記第２の辺から前記第４の辺に向かって、順次、前記第１の縦付着部、前記第２の縦付着部、前記第３の縦付着部及び前記第４の縦付着部が形成され、前記第２の縦付着部と前記第３の縦付着部の間隔は、前記第１の縦付着部と前記第２の縦付着部の間隔より小さく、
前記第２の縦付着部と前記第３の縦付着部の間隔は、前記第３の縦付着部と前記第４の縦付着部の間隔より小さく
形成されていることを特徴とする請求項１乃至３記載の包装袋。
【請求項５】
第３の付着部又は第４の付着部に手に持つための把手を設けたことを特徴とする請求項１又は２記載の包装袋。
【請求項６】
周縁同士が付着した第３の辺は第２のフィルムの側に折曲し、この折曲した第１の折り目が前記第２のフィルムの前記第１の辺に重なるように第２の折り目を介して折曲し、    折曲して重合した前記第１のフィルムの第１の辺の中央と前記第２の折り目の中央とを結ぶと共に、前記折曲して重合した前記第１の折り目の中央と前記第２の折り目の中央とを結ぶように直線状に付着する中央縦付着部が形成され、
この中央縦付着部による付着部分は、前記第１のフィルムの第１の辺の中央と前記第２の折り目の中央とを結ぶ直線と前記第１の折り目の中央と前記第２の折り目の中央とを結ぶ直線との間に位置する前記第１のフィルム及び前記第２のフィルムであることを特徴とする請求項１記載の包装袋。
【発明の詳細な説明】
【技術分野】
【０００１】
本発明は、包装袋に係り、特に、使用勝手の良好な包装袋に関する。
【背景技術】
【０００２】
従来、外装フィルムと内装フィルムの外周縁を溶着（付着）することにより外装袋と内装ポケットを形成し、内装ポケットの上端開口を被装部により覆い塞ぐようにして、被包装物の外への飛び出しを防止している包装用袋体がある（例えば、特許文献１参照）。
【特許文献１】特許第３０３４１９０号公報（段落番号［００３０］、図10参照）。
【発明の開示】
【発明が解決しようとする課題】
【０００３】
しかしながら、上述した包装用袋体にあっては、被装部により内装ポケットの上端開口を覆っても、被装部は上端開口の上にあるため、包装用袋体自体大きくなり、コンパクト化の点において、使用勝手が良好でないという不具合が生じた。
本発明は、上述した不具合を除去するようにした包装袋を提供するものである。
【課題を解決するための手段】
【０００４】
上記目的を達成するために、請求項１記載の包装袋は、第１の辺、第２の辺、第３の辺、第４の辺からなる矩形形状の第１のフィルムと、前記第１の辺は前記第３の辺に、前記第２の辺は前記第４の辺に、それぞれ対向し、前記第１のフィルムと同形状で、前記第１のフィルムに重合する第２のフィルムと、前記第１のフィルムの前記第１の辺と前記第２のフィルムの前記第１の辺との間を横断するように設けられた空気の通路を有する通路部材と、この通路部材は前記第１のフィルムの前記第１の辺と前記第２のフィルムの前記第１の辺に付着されると共に、対向する前記第１のフィルムの前記第１の辺と前記第２のフィルムの前記第１の辺の周縁同士が付着された第１の付着部と、重合した前記第１のフィルムと前記第２のフィルムの前記第３の辺の周縁同士が付着された第２の付着部と、周縁同士が付着した前記第３の辺は前記第２のフィルムの側に折曲し、この折曲した第１の折り目が前記第２のフィルムの前記第１の辺に重なるように第２の折り目を介して折曲し、折曲して重合した前記第２の辺の側の端部は周縁同士が付着された第３の付着部と、前記折曲した第１の折り目が前記第２のフィルムの前記第１の辺に重なるように折曲し、折曲して重合した前記第４の辺の側の端部は周縁同士が付着された第４の付着部と、前記通路部材の一端が、前記第１の付着部、前記第２の付着部、前記第３の付着部、前記第４の付着部によりシ−ルされた前記第１のフィルムと前記第２のフィルムの間に形成された空所に臨み、前記通路部材の他端が、外気に臨んでいるものである。
【０００５】
また、請求項２記載の包装袋は、一枚のフィルムを折曲して重合して形成された矩形形状のフィルム本体と、このフィルム本体の一方側は第１のフィルムで、他方側は第２のフィルムであり、前記第１のフィルムは、第１の辺、第２の辺、第３の辺、第４の辺からなる矩形形状であり、前記第１の辺は前記第３の辺に、前記第２の辺は前記第４の辺に、それぞれ対向し、前記第１のフィルムと前記第２のフィルムは、前記折曲した第１の折り目は、前記第３の辺であり、前記第１のフィルムの前記第１の辺と前記第２のフィルムの前記第１の辺との間を横断するように設けられた空気の通路を有する通路部材と、この通路部材は前記第１のフィルムの前記第１の辺と前記第２のフィルムの前記第１の辺に付着されると共に、対向する前記第１のフィルムの前記第１の辺と前記第２のフィルムの前記第１の辺の周縁同士が付着された第１の付着部と、前記第３の辺は前記第２のフィルムの側に折曲し、この折曲した第２の折り目が前記第２のフィルムの前記第１の辺に重なるように第３の折り目を介して折曲し、折曲して重合した前記第２の辺の側の端部は周縁同士が付着された第２の付着部と、前記折曲した第２の折り目が前記第２のフィルムの前記第１の辺に重なるように折曲し、折曲して重合した前記第４の辺の側の端部は周縁同士が付着された第３の付着部と、前記通路部材の一端が、前記第１の付着部、前記第２の付着部、前記第３の付着部によりシ−ルされた前記第１のフィルムと前記第２のフィルムの間に形成された空所に臨み、前記通路部材の他端が、外気に臨んでいるものである。
【０００６】
また、請求項３記載の包装袋は、一枚のフィルムを折曲して重合して形成された矩形形状のフィルム本体と、このフィルム本体の一方側は第１のフィルムで、他方側は第２のフィルムであり、前記第１のフィルムは、第１の辺、第２の辺、第３の辺、第４の辺からなる矩形形状であり、前記第１の辺は前記第３の辺に、前記第２の辺は前記第４の辺に、それぞれ対向し、前記第１のフィルムと前記第２のフィルムは、前記折曲した第１の折り目は、前記第４の辺であり、前記第１のフィルムの前記第１の辺と前記第２のフィルムの前記第１の辺との間を横断するように設けられた空気の通路を有する通路部材と、この通路部材は前記第１のフィルムの前記第１の辺と前記第２のフィルムの前記第１の辺に付着されると共に、対向する前記第１のフィルムの前記第１の辺と前記第２のフィルムの前記第１の辺の周縁同士が付着された第１の付着部と、重合した前記第１のフィルムと前記第２のフィルムの前記第３の辺の周縁同士が付着された第２の付着部と、周縁同士が付着した前記第３の辺は前記第２のフィルムの側に折曲し、この折曲した第２の折り目が前記第２のフィルムの前記第１の辺に重なるように第３の折り目を介して折曲し、折曲して重合した前記第２の辺の側の端部は周縁同士が付着された第３の付着部と、前記通路部材の一端が、前記第１の付着部、前記第２の付着部、前記第３の付着部によりシ−ルされた前記第１のフィルムと前記第２のフィルムの間に形成された空所に臨み、前記通路部材の他端が、外気に臨んでいるものである。
【０００７】
また、請求項４記載の包装袋は、請求項１乃至３記載の包装袋において、対向する第２のフィルムと第１のフィルムの部分を、第２の辺及び第４の辺に沿って部分的に直線状に付着して形成された複数の縦付着部と、前記複数の縦付着部は、少なくとも、第１の縦付着部、第２の縦付着部、第３の縦付着部及び第４の縦付着部を有し、前記第２の辺から前記第４の辺に向かって、順次、前記第１の縦付着部、前記第２の縦付着部、前記第３の縦付着部及び前記第４の縦付着部が形成され、前記第２の縦付着部と前記第３の縦付着部の間隔は、前記第１の縦付着部と前記第２の縦付着部の間隔より小さく、前記第２の縦付着部と前記第３の縦付着部の間隔は、前記第３の縦付着部と前記第４の縦付着部の間隔より小さく形成されているものである。
【０００８】
また、請求項５記載の包装袋は、請求項１又は２記載の包装袋において、第３の付着部又は第４の付着部に手に持つための把手を設けたものである。
【０００９】
また、請求項６記載の包装袋は、請求項１記載の包装袋において、周縁同士が付着した第３の辺は第２のフィルムの側に折曲し、この折曲した第１の折り目が前記第２のフィルムの前記第１の辺に重なるように第２の折り目を介して折曲し、折曲して重合した前記第１のフィルムの第１の辺の中央と前記第２の折り目の中央とを結ぶと共に、前記折曲して重合した前記第１の折り目の中央と前記第２の折り目の中央とを結ぶように直線状に付着する中央縦付着部が形成され、この中央縦付着部による付着部分は、前記第１のフィルムの第１の辺の中央と前記第２の折り目の中央とを結ぶ直線と前記第１の折り目の中央と前記第２の折り目の中央とを結ぶ直線との間に位置する前記第１のフィルム及び前記第２のフィルムである。
【発明の効果】
【００１０】
請求項１記載の包装袋によれば、被包装物が第２のフィルムで形成された収納部に収納され、空所内へ空気を供給して被包装物が移動できないように包装することができ、その際、周縁同士が付着した第３の辺は第２のフィルムの側に折曲し、この折曲した第１の折り目（折曲した部分）が前記第２のフィルムの前記第１の辺に重なるように第２の折り目を介して折曲し、折曲して重合した前記第２の辺の側の端部は周縁同士が第３の付着部により付着され、折曲した折り目が前記第２のフィルムの前記第１の辺に重なるように折曲し、折曲して重合した前記第４の辺の側の端部は周縁同士が第４の付着部により付着されているため、第１の折り目から第３の辺に至る第１のフィルムと第２のフィルムの間に空気が入り、該部分は開口部より突出しないようにして開口部を狭め、被包装物が外へ飛び出すのを防止することができる。
【００１１】
請求項４記載の包装袋によれば、請求項１記載の発明の効果に加え、第２の縦付着部と第３の縦付着部の間隔は、第１の縦付着部と第２の縦付着部の間隔より小さく、第２の縦付着部と第３の縦付着部の間隔は、第３の縦付着部と第４の縦付着部より小さく形成されているため、被包装物を内在して包装袋に空気を供給して包装した場合、包装袋の外側に略平坦面が形成され、例えば、コンベヤ−等で搬送する場合転がりにくくなる。
【００１２】
請求項５記載の包装袋によれば、請求項１記載の発明の効果に加え、第３の付着部又は第４の付着部は、少なくとも、第１のフィルム、第２のフィルム、第２のフィルム、第１のフィルムと、４層重合しているため、強度的に強く、把手を設けても、被包装物の重さに耐えることができる。
【実施例】
【００１３】
本発明の一実施例の包装袋を図面を参照して説明する。
図１乃至図１３において、Ｘは包装袋で、包装袋Ｘは被包装物100 （例えば、日本酒、ワイン等のボトル）が衝撃によって損傷しないように保護する包装部材で（図１参照）、例えば、第１のフィルム11と第２のフィルム12との間に形成された空所20に空気が封入される本体10を有している。対向する第２のフィルム12の間、つまり、内側には、被包装物100 を収納する収納部Ｓが形成されている。
【００１４】
包装袋Ｘは、次に述べるようにして製造することができる。
図２に示すように、第１のフィルム11は第１の辺ａ、第２の辺ｂ、第３の辺ｃ、第４の辺ｄからなる矩形形状であり、第１の辺ａは第３の辺ｃに、第２の辺ｂは第４の辺ｄに、それぞれ対向している関係にある。
第２のフィルム12は第１のフィルム11に重合（第２のフィルム12と第１のフィルム11とが重なり合うこと）すると共に、第１のフィルム11と同形状の矩形形状となっている（図２及び図３参照）。
【００１５】
また、Ｐは空気の通路を有する通路部材で、通路部材Ｐは、第１のフィルム11の第１の辺ａと第２のフィルム12の第１の辺ａとの間を横断するように設けられている。
通路部材Ｐの一端は、後述する第１の付着部１、第２の付着部２、第３の付着部３、第４の付着部４によりシ−ルされた第１のフィルム11と第２のフィルム12の間に形成された空所20に臨み、通路部材Ｐの他端は、外気に臨むようになっている。
なお、通路部材Ｐは、図示しないが、プラスチック製のパイプで形成し、通路部材Ｐの外気に臨む側の端部を蓋、栓（図示せず）で着脱自在に封止しても良いが、通路部材Ｐは、例えば、フィルムで形成した周知の逆止弁機能付きのもの（例えば、実開昭50-12320号公報、実公平6-697 号公報、実公平6-39178 号公報等）が望ましい。
即ち、通路部材Ｐは、プラスチックフィルムの扁平な筒状体で形成したもので、対向するように設けたフィルムの間に空気の通路が形成され、該通路に空気を供給すると、対向するフィルムの間を空気が流れ、空所20に空気が供給される。空所20に一定量の空気が供給されると、空気の供給を停止する。空気の供給が停止すると、通路部材Ｐの一端は、空所20に臨んでいるため、空所20内の空気圧により対向するフィルムが接触して、空気の通路が閉塞され、空所20内の空気が外気側に流れるのを阻止するようになる。なお、通路部材Ｐは、プラスチックフィルムの扁平な筒状体になっていて、該扁平な筒状体には、空所20に向かってハの字形状に熱シ−ル、超音波、接着剤等により付着された付着部が形成されている。
【００１６】
通路部材Ｐは、図２及び図３に示すように、第１のフィルム11の第１の辺ａと第２のフィルム12の第１の辺ａに付着されると共に、対向する第１のフィルム11の第１の辺ａと第２のフィルム12の第１の辺ａの周縁同士が付着された第１の付着部１を形成する。
なお、上述の「付着」は、例えば、熱シ−ル、超音波、接着剤等によるが、熱シ−ルによる溶着（融着）が望ましい。以下に記述する「付着」も同様であるので、その説明を省略する。
【００１７】
また、重合した第１のフィルム11と第２のフィルム12の第３の辺ｃの周縁同士は、図３に示すように、付着されて第２の付着部２を形成している。
そして、周縁同士が付着した第３の辺ｃは第２のフィルム12の側に折曲し（図３の矢印Ｙ方向に折り曲げる。）、この折曲した第１の折り目Ｒ1 （折曲した部分）が第２のフィルム12の第１の辺ａに重なるように第２の折り目Ｒ2 （折曲した部分）を介して折曲し（図３の矢印Ｚ方向に折り曲げる。）、折曲して重合した第２の辺ｂの側の端部は周縁同士が付着されて第３の付着部３を形成する（図３及び図４参照）。
また、同様に、周縁同士が付着した第３の辺ｃは第２のフィルム12の側に折曲し（図３の矢印Ｙ方向に折り曲げる。）、この折曲した第１の折り目Ｒ1 （折曲した部分）が第２のフィルム12の第１の辺ａに重なるように折曲し（図３の矢印Ｚ方向に折り曲げる。）、折曲して重合した第４の辺ｄの側の端部は周縁同士が付着されて第４の付着部４を形成する（図３及び図４参照）。
【００１８】
また、図１、図３、図４において示す符号１’、２’、３’、４’・・・は、複数の縦付着部で、複数の縦付着部１’、２’、３’、４’・・・は、対向する第２のフィルム12と第１のフィルム11の部分を、第２の辺ｂ及び第４の辺ｄに沿って部分的に直線状に熱シ−ル等により付着して形成されるものである。
複数の縦付着部は、本実施例では、４個であるが、これより多くても良いが、複数の縦付着部は、少なくとも、第１の縦付着部１’、第２の縦付着部２’、第３の縦付着部３’及び第４の縦付着部４’と４個有れば良い。第２の辺ｂから第４の辺ｃに向かって、第２の辺ｂ及び第４の辺ｃに略平行に、順次、第１の縦付着部１’、第２の縦付着部２’、第３の縦付着部３’、第４の縦付着部４’となっている。
そして、第２の縦付着部２’と第３の縦付着部３’の間隔Ａは、第１の縦付着部１’と第２の縦付着部２’の間隔Ｂより小さく（Ａ＜Ｂ）、第２の縦付着部２’と第３の縦付着部３’の間隔Ａは、第３の縦付着部３’と第４の縦付着部４’の間隔Ｂより小さくなるように形成されている。
【００１９】
このように、第２の縦付着部２’と第３の縦付着部３’の間隔Ａは、第１の縦付着部１’と第２の縦付着部２’の間隔Ｂより小さく、第２の縦付着部２’と第３の縦付着部３’の間隔Ａは、第３の縦付着部３’と第４の縦付着部４’の間隔Ｂより小さく形成されているため、被包装物100 を内在して包装袋Ｘに空気を供給して包装した場合、包装袋Ｘの外側に略平坦面が形成されるため、例えば、コンベヤ−等で搬送する場合、包装袋Ｘが転がりにくくなる（図１３参照）。
【００２０】
なお、図６乃至図９に示すように、付着されていない対向する第１のフィルム11と第２のフィルム12の間には、通路部材Ｐを介して空気が入る空所20が形成されており、第１の折り目Ｒ1 及び第２の折り目Ｒ2 は、空所20に空気が入らない状態で生じるものである。空所20に空気が入らない状態では、包装袋Ｘは、図６乃至図９に示すように、扁平形状となっている。
【００２１】
従って、図１０に示すように、被包装物100 を開口部Ｋより包装袋Ｘの収納部Ｓに入れ、通路部材Ｐを介して空所20に空気を入れると、図１１に示すように、被包装物100 が移動できないように包装することができ、そして、周縁同士が付着した第３の辺ｃは第２のフィルム12の側に折曲し、この折曲した第１の折り目Ｒ1 （折曲した部分）が第２のフィルム12の第１の辺ａに重なるように第２の折り目Ｒ2 を介して折曲し、折曲して重合した第２の辺ｂの側の端部は周縁同士が第３の付着部３により付着され、折曲した第１の折り目Ｒ1 が第２のフィルム12の第１の辺ａに重なるように折曲し、折曲して重合した第４の辺ｄの側の端部は周縁同士が第４の付着部４により付着されているため、第１の折り目Ｒ1 から第３の辺ｃに至る第１のフィルム11と第２のフィルム12の間に空気が入り、該部分（第１の折り目Ｒ1 から第３の辺ｃに至る第１のフィルム11と第２のフィルム12の間）は開口部Ｋより突出しないようにして開口部Ｋを狭め、被包装物100 が外へ飛び出すのを防止すると共に、第１の折り目Ｒ1 から第３の辺ｃに至る部分を把手Ｔ’として利用することができる。
【００２２】
なお、場合により、図１４に示すように、第３の付着部３（又は第４の付着部４）に手に持つための把手Ｔを設けても良い。
第３の付着部３（又は第４の付着部４）は、図１５に示すように、少なくとも、第１のフィルム11、第２のフィルム12、第２のフィルム12、第１のフィルム11と、４層重合しているため、強度的に強く、把手Ｔを設けても、被包装物100 の重さに耐えることができる。
【００２３】
また、上述した実施例においては、第１のフィルム11と第２のフィルム12と二部材を用いたが、本願発明にあっては、これに限らず、一部材でも良い。なお、上述した実施例と同一部分に同一符号を付して説明の一部を省略している。
即ち、図１６乃至図１８に示すように、10’は、一枚のフィルムを折曲して重合して形成された矩形形状のフィルム本体である。このフィルム本体10’の一方側は第１のフィルム11で、他方側は第２のフィルム12となっている。
第１のフィルム11は、第１の辺ａ、第２の辺ｂ、第３の辺ｃ、第４の辺ｄからなる矩形形状となっている。第１の辺ａは第３の辺ｃに、第２の辺ｂは第４の辺ｄに、それぞれ対向している。なお、第１のフィルム11と第２のフィルム12は、折曲した第１の折り目Ｒ1 ’は、第３の辺ｃとなっている。
この包装袋Ｘにおいても、上述の実施例の包装袋Ｘと同様、通路部材Ｐが第１のフィルム11の第１の辺ａと第２のフィルム12の第１の辺ａとの間を横断するように設けられ、通路部材Ｐは、図１６乃至図１８に示すように、第１のフィルム11の第１の辺ａと第２のフィルム12の第１の辺ａに付着されると共に、対向する第１のフィルム11の第１の辺ａと第２のフィルム12の第１の辺ａの周縁同士が付着された第１の付着部１を形成している。
第３の辺ｃは第２のフィルム12の側に折曲し（図１７の矢印Ｙ方向に折り曲げる。）、この折曲した第２の折り目Ｒ2 （折曲した部分）が第２のフィルム12の第１の辺ａに重なるように第３の折り目Ｒ3 を介して折曲し（図１７の矢印Ｚ方向に折り曲げる。）、折曲して重合した第２の辺ｂの側の端部は周縁同士が付着されて、第２の付着部２が形成されている。
また、同様に、第３の辺ｃは第２のフィルム12の側に折曲し（図１７の矢印Ｙ方向に折り曲げる。）、この折曲した第２の折り目Ｒ2 （折曲した部分）が第２のフィルム12の第１の辺ａに重なるように折曲し（図１７の矢印Ｚ方向に折り曲げる。）、折曲して重合した第４の辺ｄの側の端部は周縁同士が付着されて、第３の付着部３が形成されている。
なお、通路部材Ｐの一端は、第１の付着部１、第２の付着部２、第３の付着部３によりシ−ルされた第１のフィルム11と第２のフィルム12の間に形成された空所（空所は、図１６乃至図１８に図示されていないが、上述の実施例で言えば、図１０に示される符号20に相当する。）に臨み、通路部材Ｐの他端は、外気に臨み、また、第１の折り目Ｒ1 ’、第２の折り目Ｒ2 及び第３の折り目Ｒ3 は、前記空所に空気が入らない状態で生じるものである。
【００２４】
上述した実施例においては、一部材のフィルムの第３の辺ｃを介して折り曲げたが、一部材のフィルムの第４の辺ｄを介して折り曲げても良い。なお、上述した実施例と同一部分に同一符号を付して説明の一部を省略している。なお、上述した実施例と同一部分に同一符号を付して説明の一部を省略している。
即ち、図１９乃至図２１に示すように、10”は、一枚のフィルムを折曲して重合して形成された矩形形状のフィルム本体である。このフィルム本体10”の一方側は第１のフィルム11で、他方側は第２のフィルム12となっている。
第１のフィルム11は、第１の辺ａ、第２の辺ｂ、第３の辺ｃ、第４の辺ｄからなる矩形形状となっている。第１の辺ａは第３の辺ｃに、第２の辺ｂは第４の辺ｄに、それぞれ対向している。なお、第１のフィルム11と第２のフィルム12は、折曲した第１の折り目Ｒ1 ”は、第４の辺ｄとなっている。
この包装袋Ｘにおいても、上述の実施例の包装袋Ｘと同様、通路部材Ｐが第１のフィルム11の第１の辺ａと第２のフィルム12の第１の辺ａとの間を横断するように設けられ、通路部材Ｐは、図１９乃至図２１に示すように、第１のフィルム11の第１の辺ａと第２のフィルム12の第１の辺ａに付着されると共に、対向する第１のフィルム11の第１の辺ａと第２のフィルム12の第１の辺ａの周縁同士が付着された第１の付着部１を形成している。
また、重合した第１のフィルム11と第２のフィルム12の第３の辺ｃの周縁同士は、図２０に示すように、付着されて第２の付着部２を形成している。
そして、周縁同士が付着した第３の辺ｃは第２のフィルム12の側に折曲し（図２０の矢印Ｙ方向に折り曲げる。）、この折曲した第２の折り目Ｒ2 （折曲した部分）が第２のフィルム12の第１の辺ａに重なるように第３の折り目Ｒ3 （折曲した部分）を介して折曲し（図２０の矢印Ｚ方向に折り曲げる。）、折曲して重合した第２の辺ｂの側の端部は周縁同士が付着されて第３の付着部３を形成する（図２１参照）。
また、同様に、周縁同士が付着した第３の辺ｃは第２のフィルム12の側に折曲し（図２０の矢印Ｙ方向に折り曲げる。）、この折曲した第２の折り目Ｒ2 （折曲した部分）が第２のフィルム12の第１の辺ａに重なるように折曲し（図２０の矢印Ｚ方向に折り曲げる。）、折曲して重合した第４の辺ｄの側の端部は周縁同士が付着されて第４の付着部４を形成する（図２１参照）。
なお、フィルム本体10”は一枚のフィルムを第４の辺ｄを介して折り曲げているため、場合により、第４の付着部４は省略することもできる。
また、通路部材Ｐの一端は、第１の付着部１、第２の付着部２、第３の付着部３によりシ−ルされた第１のフィルム11と第２のフィルム12の間に形成された空所（空所は、図１９乃至図２１に図示されていないが、上述の実施例で言えば、図１０に示される符号20に相当する。）に臨み、通路部材Ｐの他端は、外気に臨み、また、第１の折り目Ｒ1 ”、第２の折り目Ｒ2 及び第３の折り目Ｒ3 は、前記空所に空気が入らない状態で生じるものである。
【００２５】
上述した実施例においては、被包装物100 が収納できる収納部Ｓが１個であるが、図２２乃至図３４に示すように、収納部Ｓが２個でも良い。本実施例（図２２乃至図３４）のものは、後述する中央縦付着部５０を除けば、図１乃至図１３に示した実施例のものと実質的に同じであるため、図１乃至図１３に示した実施例と同一部分に同一符号を付して説明の一部を省略している。
即ち、外側に第１のフィルム11が、内側に第２のフィルム12が位置し、内側に位置して対向する第２のフィルム12の空所は被包装物100 が収納できる収納部Ｓ、Ｓとなっている。そして、第２のフィルム12は第１のフィルム11に重合（第２のフィルム12と第１のフィルム11とが重なり合うこと）すると共に、第１のフィルム11と同形状の矩形形状となっている（図２３参照）。
通路部材Ｐは、第１のフィルム11の第１の辺ａと第２のフィルム12の第１の辺ａに付着されると共に、対向する第１のフィルム11の第１の辺ａと第２のフィルム12の第１の辺ａの周縁同士が付着された第１の付着部１を形成する。
また、重合した第１のフィルム11と第２のフィルム12の第３の辺ｃの周縁同士は、付着されて第２の付着部２を形成している。
そして、周縁同士が付着した第３の辺ｃは第２のフィルム12の側に折曲し（図２３の矢印Ｙ方向に折り曲げる。）、この折曲した第１の折り目Ｒ1 （折曲した部分）が第２のフィルム12の第１の辺ａに重なるように第２の折り目Ｒ2 （折曲した部分）を介して折曲し（図２３の矢印Ｚ方向に折り曲げる。）、折曲して重合した第２の辺ｂの側の端部は周縁同士が付着されて第３の付着部３を形成する（図２３及び図２４参照）。
また、同様に、周縁同士が付着した第３の辺ｃは第２のフィルム12の側に折曲し（図２３の矢印Ｙ方向に折り曲げる。）、この折曲した第１の折り目Ｒ1 （折曲した部分）が第２のフィルム12の第１の辺ａに重なるように折曲し（図２３の矢印Ｚ方向に折り曲げる。）、折曲して重合した第４の辺ｄの側の端部は周縁同士が付着されて第４の付着部４を形成する（図２３及び図２４参照）。
そして、図２３及び図２４に示すように、周縁同士が付着した第３の辺ｃは第２のフィルム12の側に折曲し、この折曲した第１の折り目Ｒ1 が第２のフィルム12の第１の辺ａに重なるように第２の折り目Ｒ2 を介して折曲し、折曲して重合した第１のフィルム11の第１の辺ａの中央と第２の折り目Ｒ2 の中央とを結ぶと共に、前記折曲して重合した第１の折り目Ｒ1 の中央と第２の折り目Ｒ2 の中央とを結ぶように直線状に熱シ−ル等により付着して中央縦付着部５０が形成され、
この中央縦付着部５０による付着部分は、図２７に示すように、「第１のフィルム11の第１の辺ａの中央と第２の折り目Ｒ2 の中央とを結ぶ直線（図２７に示す面）」と「第１の折り目Ｒ1 の中央と第２の折り目Ｒ2 の中央とを結ぶ直線（図２７に示す面と反対の面）」との間に位置する第１のフィルム11及び第２のフィルム12となっている。
なお、付着されていない対向する第１のフィルム11と第２のフィルム12の間の空所20には、空気が入らない状態では、対向する第１のフィルム11と第２のフィルム12は、扁平形状体となっている（図２４乃至図３０参照）。
上述した中央縦付着部50による付着部分は、言い換えれば、重合した第１の折り目Ｒ1 の中央と第２の折り目Ｒ2 の中央とを結ぶ直線の垂下に位置すると共に、前記扁平形状体の一方の面の第１のフィルム11と前記扁平形状体の他方の面の第１のフィルム11との間に位置するフィルムとなっている。
【００２６】
なお、上述した実施例（図１乃至図３４）においては、第１の折り目Ｒ1 から第３の辺ｃに至る部分を把手Ｔ’として利用したが、本願発明にあっては、これに限らず、例えば、図３５乃至図３８及び図３９に示すように、第１の折り目Ｒ1 から第３の辺ｃに至る部分を被包装物100 （例えば、日本酒、ワイン等のボトル）の底部Ｂとして利用することができる。即ち、図３５乃至図３８においては、図１乃至図２１の実施例の第１の折り目Ｒ1 から第３の辺ｃに至る部分を把手Ｔ’を底部Ｂとして利用しているため、図１乃至図２１と同一部分に同一符号を付してその説明を省略する。同様に、図３９においては、図２２乃至図３４の実施例の第１の折り目Ｒ1 から第３の辺ｃに至る部分を把手Ｔ’を底部Ｂとして利用しているため、図３９と同一部分に同一符号を付してその説明を省略する。
この場合、上述した実施例（図１乃至図３４）のように底部が湾曲していないため、つまり、図３５乃至図３８においては、第１の折り目Ｒ1 から第１の辺ａの端部で構成される開口部Ｋの縁部が図３５及び図３６に示すように、立設しやすく使用勝手が向上する。同様に、第１の折り目Ｒ1 から第１の辺ａの端部で構成される開口部Ｋの縁部が図３９に示すように、立設しやすく使用勝手が向上する。
なお、図３７においては、包装袋１に空気を入れない状態で、被包装物100 の底が底部Ｂに位置するように入れ、入れた後、包装袋１に空気を入れる（図３８参照）。その後、図３８記載の状態を反転させて、図３５及び図３６記載のようにして立設させることができる。包装袋１に被包装物100 を２個入れた場合も同様である（図３９参照）。
【図面の簡単な説明】
【００２７】
【図１】図１は、本発明の一実施例の包装袋の使用状態の概略的斜視図である。
【図２】図２は図１の包装袋の製造過程を示すもので、フィルムが対向している状態の概略的斜視図である。
【図３】図３は、図２の対向しているフィルムを重合すると共に重合した第１の辺と第３の辺をそれぞれ付着した状態の概略的平面図である。
【図４】図４は、図３の第１の折り目を第２のフィルムの第１の辺に重なるように第２の折り目で折曲し、重合した第２の辺と第４の辺をそれぞれ付着した状態の概略的平面図である。
【図５】図５は、図４の５−５線による概略的断面図である。
【図６】図６は、図４の６−６線による概略的断面図である。
【図７】図７は、図４の７−７線による概略的断面図である。
【図８】図８は、図４の８−８線による概略的断面図である。
【図９】図９は、図４の９−９線による概略的断面図である。
【図１０】図１０は、図１の包装袋に空気を入れない状態の包装袋の概略的断面図である。
【図１１】図１１は、図１０の包装袋に空気を入れた状態の包装袋の概略的断面図である。
【図１２】図１２は、図１１の概略的正面図である。
【図１３】図１３は、図１２の１３−１３線による概略的断面図である。
【図１４】図１４は、図１の包装袋に把手を設けた状態を示す概略的斜視図である。
【図１５】図１５は、図１４の把手の取り付け部分の一部を示す概略的一部断面図である。
【図１６】図１６は、図２記載のフィルムとは異なる一枚のフィルムの折り目を第３の辺として包装袋を製造する製造過程を示す概略的斜視図である。
【図１７】図１７は、図１６の対向しているフィルムを重合すると共に第２の辺及び第４の辺に沿って部分的に直線状に付着した状態の概略的平面図である。
【図１８】図１８は、図１７の第２の折り目を第１のフィルムの第１の辺に重なるように第３の折り目で折曲し、重合した第２の辺と第４の辺をそれぞれ付着した状態の概略的平面図である。
【図１９】図１９は、図１６記載のフィルムとは異なる一枚のフィルムの折り目を第４の辺として包装袋を製造する製造過程を示す概略的斜視図である。
【図２０】図２０は、図１９の対向しているフィルムを重合すると共に第２の辺及び第４の辺に沿って部分的に直線状に付着した状態の概略的平面図である。
【図２１】図２１は、図２０の第２の折り目を第１のフィルムの第１の辺に重なるように第３の折り目で折曲し、重合した第２の辺と第４の辺をそれぞれ付着した状態の概略的平面図である。
【図２２】図２２は、図１と異なり複数の収納部を有した包装袋の使用状態の概略的斜視図である。
【図２３】図２３は、対向しているフィルムを重合すると共に重合した第１の辺と第３の辺をそれぞれ付着した状態の概略的平面図である。
【図２４】図２４は、図２３の第１の折り目を第２のフィルムの第１の辺に重なるように第２の折り目で折曲し、重合した第２の辺と第４の辺をそれぞれ付着した状態の概略的平面図である。
【図２５】図２５は、図２４の２５−２５線による概略的断面図である。
【図２６】図２６は、図２４の２６−２６線による概略的断面図である。
【図２７】図２７は、図２４の２７−２７線による概略的断面図である。
【図２８】図２８は、図２４の２８−２８線による概略的断面図である。
【図２９】図２９は、図２４の２９−２９線による概略的断面図である。
【図３０】図３０は、図２４の３０−３０線による概略的断面図である。
【図３１】図３１は、図２２の概略的正面図である。
【図３２】図３２は、図２２の包装袋に空気を入れない状態の包装袋の概略的断面図である。
【図３３】図３３は、図３２の包装袋に空気を入れた状態の包装袋の概略的断面図である。
【図３４】図３４は、図３１の３４−３４線による概略的断面図である。
【図３５】図３５は、図１乃至図２２記載の包装袋の使用形態が異なる実施例の概略的正面図である。
【図３６】図３６は、図３５の３６−３６線による概略的断面図である。
【図３７】図３７は、図３５の包装袋に空気を入れない状態の包装袋の概略的断面図である。
【図３８】図３８は、図３７の包装袋に空気を入れた状態の包装袋の概略的断面図である。
【図３９】図３５は、図２３乃至図３４記載の包装袋の使用形態が異なる実施例の概略的正面図である。
【符号の説明】
【００２８】
Ｘ  ・・・・・包装袋
ａ  ・・・・・第１の辺
ｂ  ・・・・・第２の辺
ｃ  ・・・・・第３の辺
ｄ  ・・・・・第４の辺
Ｐ  ・・・・・通路部材
Ｒ1 ・・・・・第１の折り目
Ｒ2 ・・・・・第２の折り目
１  ・・・・・第１の付着部
２  ・・・・・第２の付着部
３  ・・・・・第３の付着部
４  ・・・・・第４の付着部
11  ・・・・・第１のフィルム
12  ・・・・・第２のフィルム
【図１】
2005104468.tif 000003
【図２】
2005104468.tif 000004
【図３】
2005104468.tif 000005
【図４】
2005104468.tif 000006
【図５】
2005104468.tif 000007
【図６】
2005104468.tif 000008
【図７】
2005104468.tif 000009
【図８】
2005104468.tif 000010
【図９】
2005104468.tif 000011
【図１０】
2005104468.tif 000012
【図１１】
2005104468.tif 000013
【図１２】
2005104468.tif 000014
【図１３】
2005104468.tif 000015
【図１４】
2005104468.tif 000016
【図１５】
2005104468.tif 000017
【図１６】
2005104468.tif 000018
【図１７】
2005104468.tif 000019
【図１８】
2005104468.tif 000020
【図１９】
2005104468.tif 000021
【図２０】
2005104468.tif 000022
【図２１】
2005104468.tif 000023
【図２２】
2005104468.tif 000024
【図２３】
2005104468.tif 000025
【図２４】
2005104468.tif 000026
【図２５】
2005104468.tif 000027
【図２６】
2005104468.tif 000028
【図２７】
2005104468.tif 000029
【図２８】
2005104468.tif 000030
【図２９】
2005104468.tif 000031
【図３０】
2005104468.tif 000032
【図３１】
2005104468.tif 000033
【図３２】
2005104468.tif 000034
【図３３】
2005104468.tif 000035
【図３４】
2005104468.tif 000036
【図３５】
2005104468.tif 000037
【図３６】
2005104468.tif 000038
【図３７】
2005104468.tif 000039
【図３８】
2005104468.tif 000040
【図３９】
2005104468.tif 000041